(57)【特許請求の範囲】
【請求項１】
下端にキャスター（１１）を備えた台枠（１０ａ）上に、適宜位置にウインチ（１５）を設置し、かつ前端下部に第２滑車（１３）を取付けた枠形支柱（１０ｂ）を着脱可能に立設したウインチ架台（１０）と、下端にキャスター（２１）を取付けた４本の支柱（２３）を、長方形の４つ角に直立させて、その上端を着脱可能な上端枠（２４）により固定し、下端近くを着脱可能な横桟（２６）により補強した分解可能な吊り架台（２０）を、ウインチ架台（１０）の前方に配置し、この吊り架台（２０）の上端枠（２４）上に、所定間隔をもって平行する一対の細長い滑車取付バー（３１）（３１）のそれぞれ後端を直交方向に連結した一対の滑車支持アーム（３０）（３０）を、後端をウインチ架台（１０）側に突出させて前後方向に長く着脱可能に載置し、この各滑車支持アーム（３０）（３０）の平行な２本の滑車取付バー（３１）（３１）に、それぞれ左右に所定間隔を保って相対向する２個づつの第１滑車（３４），（３４ａ）を回転自在に取付け、その後端連結部に第３滑車（３５）を吊設して、この第３滑車付近をウインチ架台（１０）の上端に当接させ、さらに２個づつの第１滑車（３４），（３４ａ）にそれぞれ懸かって、両端が垂れ下がった２本の平行ワイヤロープ（３９）の、反ウインチ架台（１０）側の一端に、吊り具（３７ａ）を備えた横長な吊りビーム（３７）を連結するとともに、他端に連結ビーム（３８）を連結し、この連結ビーム（３８）の中央部に、ウインチ（１５）から第３滑車（３５）と第２滑車（１３）を経て延びるウインチワイヤロープ（１５ａ）の先端を連結したことを特徴とする２分割ワイヤロープによる滑車支持アーム式揚荷装置。
【請求項２】
下端にキャスター（１１）を備えた台枠（１０ａ）上に、適宜位置にウインチ（１５）を設置し、かつ前端下部に第２滑車（１３）を取付けた枠形支柱（１０ｂ）を着脱可能に立設したウインチ架台（１０）と、下端にキャスター（２１）を取付けた４本の支柱（２３）を、長方形の４つ角に直立させて、その上端を着脱可能な上端枠（２４）により固定し、下端近くを着脱可能な横桟（２６）により補強した分解可能な吊り架台（２０）を、ウインチ架台（１０）の前方に配置し、この吊り架台（２０）の上端枠（２４）の下側の幅方向の中央部に、Ｉ形鋼からなるランウエイレール（５０）を前後に長く着脱可能に取付け、このランウエイレール（５０）に沿って移動する、プレンサドル（５３）を装着し、このプレンサドルにランウエイレール（５０）と直交する方向の両側に張り出した滑車支持アーム取付座（５４）を設けて、この滑車支持アーム取付座に、平行する一対の細長い滑車取付バー（３１）の後端を直交方向に連結した滑車支持アーム（３０）を、一対の滑車取付バー（３１）がランウエイレール（５０）の両側に平行し、かつ後端をウインチ架台（１０）側に突出させて取付け、この滑車支持アーム（３０）の平行な２本の滑車取付バー（３１）に、それぞれ左右に所定間隔を保って相対向する２個づつの第１滑車（３４）（３４ａ）を回転自在に取付けるとともに、後端連結部に第３滑車（３５）を吊設して、この第３滑車付近をウインチ架台（１０）の上端に当接させ、さらに２個づつの第１滑車（３４）（３４ａ）にそれぞれ懸かって、両端が垂れ下がった２本の平行ワイヤロープ（３９）の、反ウインチ架台（１０）側の一端に、吊り具を備えた横長な吊りビーム（３７）を連結するとともに、他端に連結ビーム（３８）を連結し、この連結ビーム（３８）の中央部に、ウインチ（１５）から第３滑車（３５）と第２滑車（１３）を経て延びるウインチワイヤロープ（１５ａ）の先端を連結したことを特徴とする２分割ワイヤロープによる滑車支持アーム式揚荷装置。
【請求項３】
請求項１または２の揚荷装置において、吊り上げた重量物を移動させる場合の下端安定支持のための、平鋼材または棒状材を倒立門形に屈折形成した底受け部材（４０）を、上記吊り架台（２０）の横桟（２６）に係合着脱可能に設けた、２分割ワイヤロープによる滑車支持アーム式揚荷装置。
【請求項４】
請求項２の揚荷装置において、吊り上げた機器の移動範囲を拡げるために、吊り荷台（２０）の下端近くを補強するための、ランウエイレール（５０）と直交する方向の横桟（２６ａ）を、コ字形に形成して外方に張り出させた、２分割ワイヤロープによる滑車支持アーム式揚荷装置。
【発明の詳細な説明】
【０００１】
【発明の属する技術分野】
本発明は、天井高が低い室内等で、高さの比較的高い重量物を吊って移動させることを可能にした簡便な揚荷装置に関する。
【０００２】
【従来の技術】
従来は、低天井かつ狭い室内等で、高さの比較的高い配電盤の如き重量のある機器の搬入据え付けは、多人数による手作業によっており、安全性の向上、作業時間の短縮、作業員の削減が課題となっていた。
特に配電盤、継電器盤などは重心が高く、比較的幅の狭い重量物の立て起こし及び移動には、従来の荷役機械や装置が使用できないため、必要以上の人員を配置して手作業により万全の態勢で対処していたものであり、特にベース、基礎上への据え付けには、アンカーボルト等の突起をかわすために一層困難をきわめていた。
【０００３】
従来の簡易型の揚荷装置として、Ｉ形鋼の両端をキャスター付の脚で支えて門形にしたものに、Ｉ形鋼に沿って移動するトロリー付チェンブロックを吊り下げたものが一般的に使用されていたが、本願が目的としている吊り代の少ない場合は、チェンブロックを使用するスペースが無いため使用不能であった。
【０００４】
【発明が解決しようとする課題】
例えば、天井高が２．７ｍの配電室に、盤高２．３５ｍの配電盤を設置しようとするとき、吊り代は０．３５ｍしか無いので、この０．３５ｍ以下の吊り代で、自重３５０Ｋｇ程度の重量物を吊ることのできる、コンパクトな揚荷装置の開発が要望されていた。
【０００５】
【課題を解決するための手段】
上記の問題点を解決するために、本発明は、ウインチのワイヤーロープを、平行する２本のワイヤロープに連結ビームを介して連結して、この２分割ワイヤロープが滑車を経て吊りビームに連結され、この吊りビームに機器を吊る構造としたことにより、吊り代をチェンブロックを使用する従来の装置よりも大幅に短縮して、上記の課題を解決することができる。
【０００６】
【発明の実施の形態】
本発明は、下端にキャスターを備えた台枠上に、適宜位置にウインチ設置し、かつ前端下部に第２滑車を取付けた枠形支柱を、着脱可能に立設したウインチ架台と、下端にキャスターを取付けた４本の支柱を、長方形の４つ角に直立させて、その上端を着脱可能な上端枠により固定し、下端近くを着脱可能な横桟により補強した分解可能な吊り架台を、上記ウインチ架台の前方に配置している。
【０００７】
上記吊り架台の上端枠上に、所定間隔をもって平行する一対の細長い滑車取付バーの後端を直交方向に連結した滑車支持アームを、後端を上記ウインチ架台側に突出させて前後方向に長く着脱可能に取付け、この滑車支持アームの平行な２本の滑車取付バーに、それぞれ左右に所定間隔を保って相対向する２個づつの第１滑車を回転自在に取付け、その後端連結部に第３滑車を吊設して、この第３滑車付近を上記ウインチ架台の上端に当接させている。
【０００８】
さらに２個づつの上記第１滑車にそれぞれ懸かって、両端が垂れ下がった２本の平行ワイヤロープの、反ウインチ架台側の一端に、吊り具を備えた横長な吊りビームを連結するとともに、他端に連結ビームを連結し、この連結ビームの中央部に、上記ウインチから上記第３滑車と第２滑車を経て延びるウインチワイヤロープの先端を連結したものである。
【０００９】
また、別の例として、上記吊り架台の上端枠の下側の幅方向の中央部に、Ｉ形鋼からなるランウエイレールを前後に長く着脱可能に取付け、このランウエイレールに沿って移動するプレンサドルを装着し、このプレンサドルに、上記ランウエイレールと直交する方向の両側に張り出した滑車支持アーム取付座を設けて、この滑車支持アーム取付座に、上記滑車支持アームを、一対の滑車支持バーが上記ランウエイレールの両側のＩ形鋼の梁背丈内に平行し、かつ一端を上記ウインチ架台側に突出させて取付けて、この滑車支持アームに取り付けた第１滑車に懸っているワイヤロープにより吊り上げた重量物を、ランウエイレールに沿ってプレンサドルを移動させることにより移動可能としたものである。
【００１０】
また、吊り上げた重量物の下端を、重量物を吊った状態で移動する場合の安定支持のために、平鋼材または棒状材を倒立門形に屈折形成した底受部材を、上記支持架台の横桟に係合着脱可能に設ける場合もある。
【００１１】
また、吊り上げた重量物を移動可能にするランウエイレールとプレンサドルを持つ揚荷装置において、吊り荷台の下端近くを補強するための、ランウエイレールと直交する方向の横桟を、吊り上げた機器の移動範囲を拡げるために、コ字形に形成して外方に張り出させる場合もある。
【００１２】
【実施例】
実施例について図面を参照して説明すると、図１、図２、図３は第１実施例を示し、図４、図５、図６は第２実施例を示している。
第１、第２実施例において、共通する部分には同一符号を付して説明する。
【００１３】
（第１実施例）
図１、図２、図３において、１０はウインチ架台、２０は吊り架台、３０は滑車支持アームで、ウインチ架台１０の前部に吊り架台２０が位置し、吊り架台２０の上端に滑車支持アーム３０を載置して、その後部をウインチ架台１０側に突出させてウインチ架台１０の上端に当接させるものである。
【００１４】
ウインチ架台１０は、下端に４個のキャスター１１持ち、上向きに直立する４本の支柱１２を四角形の角となる位置に立設した台車１０ａ上に、支柱１２に挿嵌する嵌合筒１７を下端に固着した長短２本づつの柱を、適宜に横桟により連結して、短柱の頂部にウインチ１５を取り付けるためのウインチ台１４を形成し、２本の長柱の頂部に嵌まる２本の脚を上端で横に連結した門型の高さ調節部材１６を、上下調節して固定可能に嵌装した枠形支柱１０ｂを立設し、この枠形支柱１０ｂの下端前部の中央に第２滑車１３取り付けたもので、台枠１０ａと枠形支柱１０ｂは着脱自在としたものである。
【００１５】
吊り架台２０は、ブレーキ付で高さ調節可能なキャスター２１を取り付けた下部円筒２２を、下端に脱着自在に挿嵌した４本の支柱２３を、四角形の角となる位置に直立させ、この４本の支柱２３の上端に、四角形の上端枠２４の四隅に下向きに取り付けた上部円筒２５を嵌め、さらに下部円筒２２の相隣れるもの同士を横に連結する着脱可能な横桟２６を設けて補強するとともに、相隣れる支柱２３の上下端に嵌装した下部円筒２２と上部円筒２５を、Ｘ字型に斜めに連結して補強するブレース２７を着脱可能に設けたものである。
【００１６】
滑車支持アーム３０は、接近して平行する２本の鋼管の前端を横に連結３２した滑車取付バー３１を、所定間隔をもって２本並列し、その後端を横連結バー３３より連結したもの、滑車取付バー３１，３１にそれぞれ２個づつの第１滑車３４，３４ａを、所定間隔をもって同一軸心上に相対向して取付け、さらに横連結バー３３の中央部下側に第３滑車３５を吊設したもので、吊り架台２０の上端枠２４上の幅方向の中央に前後方向に載置して、前端の連結３２を上端枠２４に着脱可能に止め付け３６して、後端部をウインチ架台１０側に突出させ、枠形支柱１０ｂの上端に載せて当接させている。
【００１７】
この滑車支持アーム３０に並列支持されている一対の第１滑車３４，３４ａに、図７に示す如く２本の平行ワイヤロープ３９，３９がそれぞれに懸けられ、前部の第１滑車３４，３４から垂下した一端に、横長な吊りビーム３７を連結し、この吊りビーム３７の下辺に吊り具３７ａを取付け、さらに後部の第１滑車３４ａ，３４ａから垂下した平行ワイヤロープ３９，３９の端部に横長な連結ビーム３８を連結し、この連結ビーム３８の下辺中央部に、ウインチ架台１０に設置されているウインチ１５から延びるウインチワイヤロープ１５ａが、滑車支持アーム３０の後端に取付けてある第３滑車３５と、ウインチ架台１０の前側下部に取付けられている第２滑車１３に懸回して連結されている。
【００１８】
図１は重量物Ｗを吊り上げた状態を示しており、この状態で吊り架台２０とともに移動しようとする場合の、重量物Ｗの揺動を防止する目的で重量物Ｗの下端を支持するための、平鋼により倒立門形に形成し、両端の直立部の上端を外側に折り曲げて横桟２６に係合する係合部４１を形成した２個の底受け部材４０を設ける場合もある。
なお、横臥している重量物Ｗを立て起こすことも可能である。
【００１９】
（第２実施例）
図４、図５、図６に示す第２実施例は、吊り架台２０において、吊り揚げた重量物Ｗを吊ったままで前後方向に移動させることを可能にしたもので、ウインチ架台１０と吊り架台２０及び滑車支持アーム３０の構成は第１実施例と全く同様であり、詳細説明を省略する。
【００２０】
吊り架台２０の上端枠２４の下側の幅方向の中央に、Ｉ形鋼からなるランウエイレール５０が前後方向に長く、吊り架台２０より突出して取付けられる。
その取付けは、ランウエイレール５０の上辺に、上端枠２４の前後辺に係合する鍵形に折れ曲がった係合金具５１が２か所に溶接してあって、この係合金具５１，５１が上端枠２４の前後辺にそれぞれ係合し、上下方向の止め孔に止ピン５２を挿して止めてある。
【００２１】
このランウエイレール５０には、走行のための４個の転輪を持つプレンサドル５３が装着され、このプレンサドル５３の下側に、ランウエイレール５０と直交する方向の両側に張り出した２本の滑車支持アーム取付座５４を設け、この滑車支持アーム取付座５４上に、第１実施例と同様の第１滑車３４，３４ａを備えている滑車支持アーム３０を載せて、押さえ板５５により取付けている。
【００２２】
この滑車支持アーム３０には、第１実施例と同様に、第１滑車３４，３４ａに、図７に示す如く平行ワイヤロープ３９，３９がそれぞれに懸けられ、前部の第１滑車３４，３４から垂下した一端に、横長な吊りビーム３７を連結し、この吊りビーム３７の下辺に吊り具３７ａを取付け、さらに後部の第１滑車３４ａ，３４ａから垂下した平行ワイヤロープ３９，３９の端部に横長な連結ビーム３８を連結し、この連結ビーム３８の下辺中央部に、ウインチ架台１０に設置されているウインチ１５から延びるウインチワイヤロープ１５ａが、滑車支持アーム３０の後端に取付けてある第３滑車３５と、ウインチ架台１０の前側下部に取付けられている第２滑車１３に懸回して連結されている。
【００２３】
こうして吊り上げられた重量物Ｗは、吊り架台２０は停止したままで、ランウエイレール５０に沿って滑車支持アーム３０と一体になっているプレンサドル５３を、ウインチ架台１０とともに前後方向に移動させることにより、重量物Ｗを前後方向に移動させることができる。
【００２４】
この重量物Ｗを前後方向に移動させるとき、吊り架台２０の下端部を補強している横桟２６と干渉して、吊り架台２０の４本の支柱２３に囲まれた範囲に限定されないように拡げる目的で、前後の横桟を、図９に示す如くコ字形に形成した拡張横桟２６ａとして、前後に張り出させて移動範囲を拡張する場合がある。
【００２５】
こうして吊り上げた重量物Ｗの移動範囲を大きく拡げたいとき、ランウエイレール５０を長尺物として吊り架台２０より大きく張り出させる場合があり、この場合ランウエイレール５０の延長端を支持する別の門形支持部材を設け、かつ移動方向の横桟２６を取り外すものであるが、図示を省略する。
【００２６】
【発明の効果】
本発明は、以上説明したような形態で実施され、以下に記載されるような効果を奏する。
【００２７】
重量物を吊るのにチェンブロックを使用しないので、少ない吊り代で重量物を吊り上げることができ、狭い場所に配電盤や継電器盤等を吊り上げ、及び立て起こして設置することができる。
【００２８】
従来５〜８人を必要としていた作業が、２人で短時間に行うことができるため大幅な省力化を果たせるとともに、専門業者に依頼する必要もなくなる。
【００２９】
全ての装置が簡単に組立分解できるとともに、小型軽量であるため軽自動車で容易に運搬できて経費が節約できる。
【００３０】
組立分解に殆ど工具を使用せず、嵌め外すだけであるから、作業が簡単迅速に行える。
【図面の簡単な説明】
【図１】第１実施例を示す側面図である。
【図２】同じく平面図である。
【図３】図２のＡ−Ａ′拡大断面図である。
【図４】第２実施例を示す側面図である。
【図５】同じく平面図である。
【図６】図５のＢ−Ｂ′拡大断面図である。
【図７】第１，第２実施例における２分割ワイヤロープの構成を示す斜視図である。
【図８】吊り上げた重量物を支持する底受け部材の斜視図である。
【図９】吊り上げた重量物の移動範囲を拡げる拡張横桟を示す斜視図である。
【符号の説明】
１０    ウインチ架台
１０ａ  台枠
１０ｂ  枠形支柱
１１    キャスター
１３    第２滑車
１５    ウインチ
１５ａ  ウインチワイヤロープ
１６    高さ調節部材
１７    嵌合筒
２０    吊り架台
２１    キャスター
２３    支柱
２４    上端枠
２６    横桟
２６ａ  拡張横桟
３０    滑車支持アーム
３１    滑車取付バー
３３    横連結バー
３４    第１滑車
３４ａ  第１滑車
３５    第２滑車
３７    吊りビーム
３８    連結ビーム
３９    平行ワイヤロープ
４０    底受け部材
５０    ランウエイレール
５１    係合金具
５２    止めピン
５３    プレンサドル
５４    滑車支持アーム取付座
【図１】
0004069223.tif 000002
【図２】
0004069223.tif 000003
【図３】
0004069223.tif 000004
【図４】
0004069223.tif 000005
【図５】
0004069223.tif 000006
【図６】
0004069223.tif 000007
【図７】
0004069223.tif 000008
【図８】
0004069223.tif 000009
【図９】
0004069223.tif 000010